(57)【要約】【課題】通話相手の希望に添った保留音を通話に流すことで、通話が保留となっても待ち時間を快適なものとすることができるＩＰ電話機およびそれを用いたＩＰ電話機システムを提供することを目的とする。【解決手段】保留をするときは、保留ボタンを押下すると通話相手へ保留通知が送信され、この保留通知により通話相手側のＩＰ電話機の制御部Ａ１０により、保留音設定保存部Ａ６に設定されている保留音に対応する保留音データが、保留音データ保存部Ａ８からより読み出されて再生されるので、希望する保留音を鳴らすことができる。【選択図】図１
2006033683.tif 000002
【特許請求の範囲】
【請求項１】
保留音の音源である保留音データが保存される保留音データ保存手段と、
再生する前記保留音データを選択する設定が格納される保留音設定保存手段と、
通話相手から保留することを示す保留通知を受信すると前記保留音設定保存手段の設定に応じて、前記保留音データ保存手段から保留音データを読み出し再生する保留音データ読み出し再生手段とを備えたことを特徴とするＩＰ電話機。
【請求項２】
保留音の音源である保留音データが保存される保留音データ保存手段と、
前記保留音データを格納する保留音サーバーからネットワークを介してダウンロードするダウンロード手段と、
再生する前記保留音データを選択する設定および前記保留音サーバーのアドレスが格納される保留音設定保存手段と、
前記保留音設定保存手段に格納された、再生する保留音データを選択する設定に対応する保留音データが前記保留音データ保存手段にないときに、前記ダウンロード手段を介して当該保留音データを前記保留音サーバーからダウンロードして前記保留音データ保存手段に格納し、前記保留音データ保存手段に格納された保留音データを再生する保留音データ再生手段とを備えたことを特徴とするＩＰ電話機。
【請求項３】
保留音の音源である保留音データが保存される保留音データ保存手段と、
前記保留音データを格納する保留音サーバーからネットワークを介してダウンロードするダウンロード手段と、
再生する前記保留音データを選択する設定および前記保留音サーバーのアドレスが格納される保留音設定保存手段とを備え、
前記ダウンロード手段は、前記保留音設定保存手段に格納された、再生する保留音データを選択する設定に対応する保留音データが前記保留音データ保存手段にないときに、前記ダウンロード手段を介して当該保留音データを再生した保留音の情報を前記保留音サーバーからダウンロードすることを特徴とするＩＰ電話機。
【請求項４】
複数のＩＰ電話機からなるＩＰ電話機システムであって、
保留側の前記ＩＰ電話機は、保留することを示す保留通知を被保留側の前記ＩＰ電話機に送信する保留通知送信手段を備え、
前記被保留側のＩＰ電話機は、
保留音の音源である保留音データが保存される保留音データ保存手段と、
再生する前記保留音データを選択する設定が格納される保留音設定保存手段と、
前記保留側のＩＰ電話機から保留通知を受信すると、前記保留設定保存手段の設定に応じて、前記保留音データ保存手段から保留音データを読み出し再生する保留音データ読み出し再生手段とを備えたことを特徴とするＩＰ電話機システム。
【発明の詳細な説明】
【技術分野】
【０００１】
本発明は、通話を保留するときに、保留音を流すことができるＩＰ電話機およびそれを用いたＩＰ電話機システムに関する。
【背景技術】
【０００２】
従来のＩＰ電話機では、通話を保留とするときにＩＰ電話機に設けられた保留ボタンを押下することで、ＩＰ電話機に予め設定されている保留音を通話相手に送ることができる（例えば、特許文献１参照）。
【特許文献１】特開平５−１２２３５０号公報
【発明の開示】
【発明が解決しようとする課題】
【０００３】
しかしながら、従来のＩＰ電話機では、予め設定された保留音を通話相手に流すだけで、通話相手の希望に添った保留音でないという問題を有している。
【０００４】
そこで本発明は、通話相手の希望に添った保留音を通話に流すことで、通話が保留となっても待ち時間を快適なものとすることができるＩＰ電話機を提供することを目的とする。
【課題を解決するための手段】
【０００５】
上記問題を解決するために本発明のＩＰ電話機は、保留音の音源である保留音データが保存される保留音データ保存手段と、再生する前記保留音データを選択する設定が格納される保留音設定保存手段と、通話相手から保留することを示す保留通知を受信すると前記保留音設定保存手段の設定に応じて、前記保留音データ保存手段から保留音データを読み出し再生する保留音データ読み出し再生手段とを備えたことを特徴とする。
【発明の効果】
【０００６】
本発明のＩＰ電話機およびそれを用いたＩＰ電話機システムによれば、以下の効果を奏する。
【０００７】
（１）保留時に通話相手に対して保留通知を送信し、保留通知を受信したＩＰ電話機は、保留音設定保存手段で設定されている保留音を再生することができるので、通話相手が希望する保留音を聞くことができる。
【０００８】
（２）通話相手の保留音データ保存手段に希望する保留音データが保存されていない場合、通話相手のＩＰ電話機が保留音サーバーから保留音データをダウンロードし、保留音データを保存するとともに保留音データを再生することによって、保留音設定保存手段に設定された希望する保留音の保留音データが予め保存されていなくても希望する保留音を聞くことができる。
【０００９】
（３）保留音サーバーから受信した保留音データをスピーカーから流すことにより、保留音データを保存する記憶部を不要とすることができる。
【発明を実施するための最良の形態】
【００１０】
本願の第１の発明は、保留音の音源である保留音データが保存される保留音データ保存手段（Ａ８）と、再生する保留音データを選択する設定が格納される保留音設定保存手段（Ａ６）と、通話相手から保留することを示す保留通知を受信すると保留音設定保存手段
（Ａ６）の設定に応じて、保留音データ保存手段（Ａ８）から保留音データを読み出し再生する保留音データ読み出し再生手段（Ａ１０）とを備えたことを特徴としたものである。
【００１１】
この構成により、被保留者が希望する保留音を簡便に被保留者に聞かせることができる。
【００１２】
本願の第２の発明は、保留音の音源である保留音データが保存される保留音データ保存手段（Ｂ８）と、保留音データを格納する保留音サーバーからネットワークを介してダウンロードするダウンロード手段（Ｂ７）と、再生する保留音データを選択する設定および保留音サーバー（Ｃ１１）のアドレスが格納される保留音設定保存手段（Ｂ６）と、保留音設定保存手段（Ｂ６）に格納された、再生する保留音データを選択する設定に対応する保留音データが保留音データ保存手段（Ｂ８）にないときに、ダウンロード手段（Ｂ７）を介して当該保留音データを保留音サーバー（Ｃ１１）からダウンロードして保留音データ保存手段（Ｂ８）に格納し、保留音データ保存手段（Ｂ８）に格納された保留音データを再生する保留音データ再生手段（Ｂ１０）とを備えたこと特徴としたものである。
【００１３】
この構成により、通話相手が希望する保留音を聞かせることができる。また、通話相手となるＩＰ電話機に予め保存していない保留音を聞かせることができる。
【００１４】
本願の第３の発明は、保留音の音源である保留音データが保存される保留音データ保存手段と、保留音データを格納する保留音サーバー（Ｅ１１）からネットワークを介してダウンロードするダウンロード手段（Ｄ７）と、再生する保留音データを選択する設定および保留音サーバーのアドレスが格納される保留音設定保存手段（Ｄ６）とを備え、ダウンロード手段（Ｄ７）は、保留音設定保存手段（Ｄ６）に格納された、再生する保留音データを選択する設定に対応する保留音データが保留音データ保存手段にないときに、ダウンロード手段（Ｄ７）を介して当該保留音データを再生した保留音の情報を保留音サーバー（Ｅ１１）からダウンロードすること特徴としたものである。
【００１５】
この構成により、通話相手が希望する保留音を聞かせることができるとともに、保留音サーバーが保留音を再生するためダウンロードする通話相手側のＩＰ電話機の制御部負荷が低減することができる。
【００１６】
なお、括弧内の番号などは、本発明の理解を助けるために、図面における対応する要素を便宜的に示すものである。従って、本記述は図面上の記載に限定拘束されるものではなく、本発明をこの符号の記載により解釈すべきではない。
【００１７】
以下、本発明の実施の形態について、図１〜図１５を用いて説明する。
【００１８】
（実施の形態１）
本発明の実施の形態１に係るＩＰ電話機を図１に基づいて説明する。図１は本発明の実施の形態１に係るＩＰ電話機の構成を説明するブロック図である。
【００１９】
図１のＩＰ電話機Ａ１１において、Ａ１はユーザによる電話番号入力や保留ボタンなどの操作キーの入力を行う入力部、Ａ２は、通話相手の音声や保留音を出力するスピーカー、Ａ３は音声を入力するマイク、Ａ４は通話相手から保留ボタンの押下を示す保留通知などのデータや音声を受信する受信部、Ａ５は通話相手へ保留通知などのデータや音声を送信する送信部、Ａ６は希望する保留音データを選択する設定を保存する保留音設定保存部、Ａ８は保留の際の保留音の音源である保留音データを保存する保留音データ保存部、Ａ１０は受信部Ａ４で通話相手から保留通知を受信したら、保留音設定保存部に保存された
設定に合致する保留音データを保留音データ保存部Ａ８から取得し再生する制御部である。
【００２０】
以上のように構成されるＩＰ電話機の動作について、図２を用いて説明する。図２は本発明の実施の形態１に係るＩＰ電話機の動作を示すフローチャートである。なお、図２においては、図１に示されるＩＰ電話機同士で通話しているものとし、保留するＩＰ電話機側を保留機、保留されるＩＰ電話機側を被保留機として説明する。
【００２１】
まず、被保留機のユーザが、被保留機側において、複数種類の保留音の中から希望する保留音を指定する旨を、入力部Ａ１を介して入力したとする。これを受けて制御部Ａ１０は、指定された保留音についての保留音データを選択する設定を、保留音設定保存部Ａ６に保存する。
【００２２】
この状態で、通話中に保留機のユーザによって、保留機側において保留ボタンが押されると、入力部Ａ１より入力され制御部Ａ１０へ通知される（Ｓ１）。制御部Ａ１０は、保留ボタンが押下されたことで、送信部Ａ５から被保留機に保留通知を送信する（Ｓ２）。
【００２３】
被保留機は保留機から保留通知を受信部Ａ４により受信する（Ｓ３）。受信部Ａ４により保留通知を受信した旨の通知を受けた制御部Ａ１０は、保留音設定保存部Ａ６に保存されている設定に従って、保留音データ保存部Ａ８から保留音データを取得する（Ｓ４）。制御部Ａ１０は、保留音データ保存部Ａ８から取得した保留音データを再生しスピーカーＡ２から鳴らす（Ｓ５）。
【００２４】
次に、本発明の実施の形態１に係るＩＰ電話機における保留機−被保留機のシーケンスを図３に基づいて説明する。図３は、本発明の実施の形態１に係るＩＰ電話機における保留機−被保留機のシーケンスチャートを示す。図３においても、図１に示されるＩＰ電話機同士で通話しているものとし、保留するＩＰ電話機側を保留機、保留されるＩＰ電話機側を被保留機として説明する。
【００２５】
保留機と被保留機の接続が確保される（Ｓ６）。保留機は、保留ボタンが押されたら保留通知を被保留機に送信する（Ｓ７）。
【００２６】
このように、保留するときに保留する側の保留機が送信する保留音により、被保留機が保留音データ保存部Ａ８に保存される保留音データを、保留音設定保存部Ａ６の設定で指定することで、被保留機のユーザが希望する保留音を聞くことができる。
【００２７】
（実施の形態２）
本発明の実施の形態２に係るＩＰ電話機の構成を図４に基づいて説明する。図４（ａ）はＩＰ電話機の構成を示すブロック図、図４（ｂ）は保留音サーバーの構成を示すブロック図である。
【００２８】
図４（ａ）のＩＰ電話機Ｂ１１において、Ｂ１はユーザによる電話番号入力や保留ボタンなどの操作キーの入力を行う入力部、Ｂ２は通話相手の音声や保留音を出力するスピーカー、Ｂ３は音声を入力するマイク、Ｂ４は、通話相手から保留ボタンの押下を示す保留通知などのデータや音声を受信する受信部、Ｂ５は通話相手への保留通知や後述する保留音サーバーへ保留音要求通知などのデータや音声を送信する送信部、Ｂ６は希望する保留音データを選択する設定や、保留音データを蓄積している保留音サーバーのアドレスが格納されている保留音設定保存部、Ｂ７は保留の際の保留音の音源である保留音データを保留音サーバーからネットワークを介してダウンロードするダウンロード部、Ｂ８は保留音サーバーからダウンロードした保留音データを保存する保留音データ保存部、Ｂ１０は受
信部Ｂ４で保留通知を受信したら、保留音設定保存部Ｂ６に設定されている保留音サーバーにアクセスし、保留音サーバーからダウンロードした保留音データを保留音データ保存部Ｂ８に保存し、保留音データ保存部Ｂ８に保存した保留音データを再生する制御部である。
【００２９】
図４（ｂ）の保留音サーバーＣ１１において、Ｃ１はＩＰ電話機Ｂ１１から保留音要求通知などのデータを受信する受信部、Ｃ２は保留音データなどのデータを送信する送信部、Ｃ３は保留音データを保存する保留音データ保存部、Ｃ１０は受信部Ｃ１により保留音要求通知を受信したら、要求された保留音データを保留音データ保存部Ｃ３から取得し、送信部Ｃ２より保留音データを送信する制御部である。
【００３０】
以上のように構成された本発明の実施の形態２に係るＩＰ電話の動作について、図５を用いて説明する。図５は本発明の実施の形態２に係るＩＰ電話機の動作を示すフローチャートである。なお、図５において、図４（ａ）に示されるＩＰ電話機同士で通話しているものとし、保留するＩＰ電話機側を保留機、保留されるＩＰ電話機側を被保留機として説明する。
【００３１】
まず保留機側において、ユーザによって保留ボタンが押されると、入力部Ｂ１より入力され制御部Ｂ１０へ通知される（Ｓ１１）。制御部Ｂ１０は、保留ボタンが押下されたことで、送信部Ｂ５から被保留機に保留通知を送信する（Ｓ１２）。
【００３２】
被保留機は、保留機から保留通知を受信部Ｂ４により受信する（Ｓ１３）。受信部Ｂ４により保留通知を受信した旨の通知を受けた制御部Ｂ１０は、保留音設定保存部Ｂ６に保存されている設定情報を取得する（Ｓ１４）。制御部Ｂ１０は、保留音設定保存部Ｂ６に設定される希望保留音に該当する保留音データが保留音データ保存部Ｂ８に保存されているか否かを確認する（Ｓ１５）。制御部Ｂ１０は、確認の結果により保留音データ保存部Ｂ８に保留音設定保存部Ｂ６に設定された保留音データがないときに、保留音設定保存部Ｂ６に設定されたアドレスに基づいて保留音サーバーに対してネットワークを介して保留音要求通知をダウンロード部Ｂ７により送信する（Ｓ１６）。
【００３３】
保留音サーバーＣ１１は、被保留機から保留音要求通知を受信部Ｃ１により受信する（Ｓ１７）。受信部Ｃ１により保留音要求通知を受信した旨の通知を受けた制御部Ｃ１０は、保留音データ保存部Ｃ３から保留音データを取得する（Ｓ１８）。制御部Ｃ１０は、取得した保留音データを送信部Ｃ２により被保留機に送信する（Ｓ１９）。
【００３４】
被保留機は、保留音サーバーからネットワークを介して保留音データをダウンロード部Ｂ７により受信する（Ｓ２０）。ダウンロード部Ｂ７により保留音データを受信した旨の通知を受けた制御部Ｂ１０は、受信した保留音データを保留音データ保存部Ｂ８に保存する（Ｓ２１）。制御部Ｂ１０は、保留音データ保存部Ｂ８に保存した保留音データを再生しスピーカーＢ２から鳴らす（Ｓ２２）。
【００３５】
Ｓ１５にて、制御部Ｂ１０が、保留音設定保存部Ｂ６に設定される希望保留音に該当する保留音データが保留音データ保存部Ｂ８に保存されている場合、Ｓ２２へ移行する。本実施の形態のＩＰ電話機ではダウンロードした保留音データを保留音データ保存部Ｂ８に保存したが、保存せずに制御部Ｂ１０が再生してもよい。
【００３６】
次に、本発明の実施の形態２に係るＩＰ電話機における保留機−被保留機−保留音サーバーのシーケンスを図６に基づいて説明する。図６は、本発明の実施の形態２に係るＩＰ電話機における保留機−被保留機−保留音サーバーのシーケンスチャートを示す。図６においても、図４に示されるＩＰ電話機同士で通話しているものとし、保留するＩＰ電話機
側を保留機、保留されるＩＰ電話機側を被保留機として説明する。
【００３７】
保留機と被保留機の接続が確保される（Ｓ２３）。保留機は、保留ボタンが押されたら保留通知を被保留機に送信する（Ｓ２４）。被保留機は、保留音サーバーに希望保留音を要求するため保留音要求通知を送信する（Ｓ２５）。保留音サーバーは、保留音データを被保留機に送信する（Ｓ２６）。
【００３８】
（実施の形態３）
本発明の実施の形態３に係るＩＰ電話機の構成を図７に基づいて説明する。図７（ａ）はＩＰ電話機の構成を示すブロック図、図７（ｂ）は保留音サーバーの構成を示すブロック図である。
【００３９】
図７（ａ）のＩＰ電話機Ｄ１１において、Ｄ１はユーザによる電話番号入力や保留ボタンなどの操作キーの入力などを行う入力部、Ｄ２は通話相手の音声や保留音を出力するスピーカー、Ｄ３は音声を入力するマイク、Ｄ４は通話相手から保留ボタンの押下を示す保留通知などのデータや音声を受信する受信部、Ｄ５は通話相手への保留通知や保留音サーバーへの保留要求通知などのデータや音声を送信する送信部、Ｄ６は希望する保留音を蓄積している保留音サーバーのアドレスが格納されている保留音設定保存部、Ｄ７は保留の際の保留音の音源である保留音データを保留音サーバーからネットワークを介してダウンロードするダウンロード部、Ｄ１０は受信部Ｄ４で保留通知を受信したら、保留音設定保存部Ｄ６に保存された保留音サーバーのアドレスから、保留音をダウンロード部Ｄ７を介して受信し、スピーカーＤ２から流す制御部である。
【００４０】
図７（ｂ）の保留音サーバーＥ１１において、Ｅ１はＩＰ電話機Ｄ１１から保留音要求通知などのデータを受信する受信部、Ｅ２は保留音データなどのデータを送信する送信部、Ｅ３は保留音データを保存する保留音データ保存部、Ｅ１０は受信部Ｅ１により保留音要求通知を受信したら、要求された保留音データを保留音データ保存部Ｅ３から取得し、保留音データを送信部Ｅ２より送信する制御部である。
【００４１】
以上のように構成された本発明の実施の形態３に係るＩＰ電話機の動作について、図８を用いて説明する。図８は本発明の実施の形態３に係るＩＰ電話機の動作を示すフローチャートである。なお、図８において、図７（ａ）に示されるＩＰ電話機同士で通話しているものとし、保留するＩＰ電話機側を保留機、保留されるＩＰ電話機側を被保留機として説明する。
【００４２】
まず保留機側において、ユーザによって保留ボタンが押されると、入力部Ｄ１より入力され制御部Ｄ１０へ通知される（Ｓ３１）。制御部Ｄ１０は、保留ボタンが押下されたことで、送信部Ｄ５から被保留機に保留通知を送信する（Ｓ３２）。
【００４３】
被保留機は、保留機から保留通知を受信部Ｄ４により受信する（Ｓ３３）。受信部Ｄ４により保留通知を受信した旨の通知を受けた制御部Ｄ１０は、保留音設定保存部Ｄ６に保存されている設定情報（希望する保留音を示す情報および保留サーバーのアドレス）を取得する（Ｓ３４）。制御部Ｄ１０は、保留音サーバーに対してダウンロード部Ｄ７により希望する保留音の保留データを要求する保留音要求通知を送信する（Ｓ３５）。
【００４４】
保留音サーバーは、被保留機から保留音要求通知を受信部Ｅ１により受信する（Ｓ３６）。受信部Ｅ１により保留音要求通知を受信した旨の通知を受けた制御部Ｅ１０は、保留音データ保存部Ｅ３から保留音データを取得する（Ｓ３７）。制御部Ｅ１０は、取得した保留音データを再生する（Ｓ３８）。保留音サーバーは、再生した保留音の情報を送信部Ｅ２により被保留機に送信する（Ｓ３９）。
【００４５】
被保留機は、保留音サーバーからネットワークを介して保留音の情報をダウンロード部Ｄ７により受信する（Ｓ４０）。ダウンロード部Ｄ７により保留音の情報を受信した旨の通知を受けた制御部Ｄ１０は、受信した保留音をスピーカーＤ２から流す（Ｓ４１）。
【００４６】
次に、本発明の実施の形態３に係るＩＰ電話機における保留機−被保留機−保留音サーバーのシーケンスを図９に基づいて説明する。図９は、本発明の実施の形態３に係るＩＰ電話機における保留機−被保留機−保留音サーバーのシーケンスチャートを示す。図９においても、図７（ａ）に示されるＩＰ電話機同士で通話しているものとし、保留するＩＰ電話機側を保留機、保留されるＩＰ電話機側を被保留機として説明する。
【００４７】
保留機と被保留機の接続が確保される（Ｓ４１）。保留機は、保留ボタンが押されたら保留通知を被保留機に送信する（Ｓ４２）。被保留機は、保留音サーバーに希望保留音を要求する保留音要求通知を送信する（Ｓ４３）。保留音サーバーは、保留音データを被保留機に送信する（Ｓ４４）。
【００４８】
（実施の形態４）
本発明の実施の形態４に係るＩＰ電話機の構成を図１０に基づいて説明する。図１０（ａ）はＩＰ電話機の構成を示すブロック図、図１０（ｂ）は保留音サーバーの構成を示すブロック図である。
【００４９】
図１０（ａ）のＩＰ電話機Ｆ１１において、Ｆ１はユーザによる電話番号入力や保留ボタンなどの操作キーの入力などを行う入力部、Ｆ２は、通話相手の音声や保留音を出力するスピーカー、Ｆ３は、音声を入力するマイク、Ｆ４は通話相手からデータや音声を受信する受信部、Ｆ５は通話相手への保留通知や後述する保留音サーバーへ保留音要求通知などのデータを送信する送信部、Ｆ６は希望する保留音データを選択する設定や、保留音データを蓄積している保留音サーバーのアドレスが格納されている保留音設定保存部、Ｆ７は保留の際の保留音の音源である保留音データを保留音サーバーからネットワークを介してダウンロードするダウンロード部、Ｆ８は、保留音サーバーからダウンロードした保留音データを保存する保留音データ保存部、Ｆ１０は、受信部Ｆ４で保留通知を受信したら、通知したＩＰ電話機に保留音サーバーのアドレスと希望する保留音名を保留音設定保存部Ｆ６から読み出して通知する制御部である。また制御部Ｆ１０は、受信部Ｆ４より受信した保留音サーバーのアドレスにアクセスし、保留音サーバーから保留音データをダウンロード部Ｆ７によりダウンロードするとともに、保留音データを保留音データ保存部Ｆ８に保存し、保留音データ保存部Ｆ８に保存されている保留音データを取得し、スピーカーＦ２にて再生する機能を有している。
【００５０】
図１０（ｂ）の保留音サーバーＧ１１において、Ｇ１は、ＩＰ電話機Ｆ１１から保留音要求通知などのデータを受信する受信部、Ｇ２は、保留音データなどのデータを送信する送信部、Ｇ３は、保留音データを保存する保留音データ保存部、Ｇ１０は、受信部より保留音要求通知を受信したら、要求された保留音のデータを保留音データ保存部から取得し、送信部より保留音データを送信する制御部である。
【００５１】
以上のように構成された本発明の実施の形態４に係るＩＰ電話機の動作について、図１１を用いて説明する。図１１は本発明の実施の形態４に係るＩＰ電話機の動作を示すフローチャートである。なお、図１１において、図１０（ａ）に示されるＩＰ電話機同士で通話しているものとし、保留するＩＰ電話機側を保留機、保留されるＩＰ電話機側を被保留機として説明する。
【００５２】
まず保留機側において、通話中にユーザによって保留ボタンが押されると、入力部Ｆ１
により入力され、制御部Ｆ１０へ通知される（Ｓ５１）。制御部Ｆ１０は、保留ボタンが押下されたことで、送信部Ｆ５から被保留機に保留通知を送信する（Ｓ５２）。
【００５３】
被保留機は、保留機から保留通知を受信部Ｆ４により受信する（Ｓ５３）。受信部Ｆ４により保留通知を受信した旨の通知を受けた制御部Ｆ１０は、保留音設定保存部Ｆ６に保存されている設定情報（希望する保留音を示す情報および保留サーバーのアドレス）を取得する（Ｓ５４）。制御部Ｆ１０は、設定情報を送信部Ｆ５により保留機に送信する（Ｓ５５）。
【００５４】
保留機は、被保留機から設定情報を受信部Ｆ４により受信する（Ｓ５６）。受信部Ｆ４により設定情報を受信した旨の通知を受けた制御部Ｆ１０は、設定情報に設定された保留音データが保留音データ保存部Ｆ８に保存されているか否かを確認する（Ｓ５７）。Ｓ５７にて設定情報に設定された保留音データが保留音データ保存部Ｆ８に保存されていればＳ６４に移行する。制御部Ｆ１０は、設定情報に設定された保留音データが保留音データ保存部Ｆ８に保存されていないときに、この設定情報に設定された保留音サーバーのアドレスに基づいて保留音要求通知をダウンロード部Ｆ７から保留音サーバーＧ１１へネットワークを介して送信する（Ｓ５８）。
【００５５】
保留音サーバーは、保留機から送信された保留音要求通知を受信部Ｇ１により受信する（Ｓ５９）。受信部Ｇ１により保留音要求通知を受信した旨の通知を受けた制御部Ｇ１０は、保留音データ保存部Ｇ３から保留音データを取得する（Ｓ６０）。制御部Ｇ１０は、取得した保留音データを送信部Ｇ２により保留機に送信する（Ｓ６１）。
【００５６】
保留機は、保留音サーバーからネットワークを介して保留音データをダウンロード部Ｆ７により受信する（Ｓ６２）。制御部Ｆ１０は、受信した保留音データを保留音データ保存部Ｆ８に保存する（Ｓ６３）。制御部Ｆ１０は、保留音データ保存部Ｆ８に保存した保留音データを再生してスピーカーＦ２から鳴らす（Ｓ６４）。制御部Ｆ１０は、保留音データを送信部Ｆ５より被保留機に送信する（Ｓ６５）。
【００５７】
被保留機は、保留機から保留音データを受信部Ｆ４により受信する（Ｓ６６）。受信部Ｆ４により保留音データを受信した旨の通知を受けた制御部Ｆ１０は、受信した保留音データを再生してスピーカーＦ２から流す（Ｓ６７）。
【００５８】
次に、本発明の実施の形態４に係るＩＰ電話機における保留機−被保留機−保留音サーバーのシーケンスを図１２に基づいて説明する。図１２は、本発明の実施の形態４に係るＩＰ電話機における保留機−被保留機−保留音サーバーのシーケンスチャートである。図１２においても、図１０（ａ）に示されるＩＰ電話機同士で通話しているものとし、保留するＩＰ電話機側を保留機、保留されるＩＰ電話機側を被保留機として説明する。
【００５９】
保留機と被保留機の接続が確保される（Ｓ６８）。保留機は、保留ボタンが押されたら保留通知を被保留機に送信する（Ｓ６９）。被保留機は、設定情報を送信する（Ｓ７０）。保留機は、保留音サーバーに希望保留音を要求する保留音要求通知を送信する（Ｓ７１）。保留音サーバーは、保留音データを保留機に送信する（Ｓ７２）。保留機は、保留音データを再生し、被保留機に送信する（Ｓ７３）。
【００６０】
（実施の形態５）
本発明の実施の形態５に係るＩＰ電話機の構成を図１３に基づいて説明する。図１３（ａ）はＩＰ電話機の構成を示すブロック図、図１３（ｂ）は保留音サーバーの構成を示すブロック図である。
【００６１】
図１３（ａ）のＩＰ電話機Ｈ１１において、Ｈ１はユーザによる電話番号入力や保留ボタンなどの操作キーの入力などを行う入力部、Ｈ２は通話相手の音声や保留音を出力するスピーカー、Ｈ３は音声を入力するマイク、Ｈ４は通話相手からデータや音声を受信する受信部、Ｈ５は通話相手への保留通知や後述する保留音サーバーへ保留音要求通知などのデータを送信する送信部、Ｈ６は、希望する保留音データを選択する設定や、保留音データを蓄積している保留音サーバーのアドレスが格納されている設定を保存する保留音設定保存部、Ｈ７は保留の際の保留音の音源である保留音データを保留音サーバーからネットワークを介してダウンロードするダウンロード部、Ｈ８は、保留音サーバーからダウンロードした保留音データを保存する保留音データ保存部、Ｈ１０は、受信部で保留通知を受信したら、保留通知の送信元へ保留音サーバーのアドレスと保留音名（希望する保留音データの名前）である設定情報を通知する制御部である。また、制御部Ｈ１０は、保留ボタンが押されたら、送信部Ｈ５を利用し通話相手に保留通知を送信し、受信部Ｈ４より受信した設定情報に含まれる保留音サーバーのアドレスにアクセスし、保留音サーバーから保留音データをダウンロードし、保留音データを保留通知の送信元へ送信する機能を有している。
【００６２】
図１３（ｂ）の保留音サーバーＪ１１において、Ｊ１は、ＩＰ電話機Ｈ１１から保留音要求通知などのデータを受信する受信部、Ｊ２は、保留音データなどのデータを送信する送信部、Ｊ３は、保留音データを保存する保留音データ保存部、Ｊ１０は、受信部Ｊ１より保留音要求通知を受信したら、要求された保留音データを保留音データ保存部Ｊ３から取得し、送信部Ｊ２より保留音データを送信する制御部である。
【００６３】
以上のように構成された本発明の実施の形態５に係るＩＰ電話機の動作について、図１４を用いて説明する。図１４は本発明の実施の形態５に係るＩＰ電話機の動作を示すフローチャートである。なお、図１４において、図１３（ａ）に示されるＩＰ電話機同士で通話しているものとし、保留するＩＰ電話機側を保留機、保留されるＩＰ電話機側を被保留機として説明する。
【００６４】
まず保留機側において、ユーザによって保留ボタンが押されると、入力部Ｈ１より入力され制御部Ｈ１０へ通知される（Ｓ８１）。制御御Ｈ１０は、保留ボタンが押下されたことで、送信部Ｈ５から被保留機に保留通知を送信する（Ｓ８２）。
【００６５】
被保留機は、保留機から保留通知を受信部Ｈ４により受信する（Ｓ８３）。受信部Ｈ４により保留通知を受信した旨の通知を受けた制御部Ｈ１０は、保留音設定保存部Ｈ６に保存されている設定情報を取得する（Ｓ８４）。制御部Ｈ１０は、設定情報の内容から希望する保留音データが保留音データ保存部Ｈ８に保存されているか否かを確認する（Ｓ８５）。Ｓ８５にて設定情報に設定された保留音データが保留音データ保存部Ｆ８に保存されていればＳ９６に移行する。制御部Ｈ１０は、設定情報に設定された保留音データが保留音データ保存部Ｈ８に保存されていないときに、この設定情報を保留機に送信する（Ｓ８６）。
【００６６】
保留機は、被保留機から設定情報を受信部Ｈ４により受信する（Ｓ８７）。受信部Ｈ４により設定情報を受信した旨の通知を受けた制御部Ｈ１０は、設定情報に設定された保留音サーバーのアドレスに基づいて保留音要求通知をダウンロード部Ｈ７から保留音サーバーＪ１１送信する（Ｓ８８）。
【００６７】
保留音サーバーは、保留機から送信された保留音要求通知を受信部Ｊ１により受信する（Ｓ８９）。受信部Ｊ１により保留音要求通知を受信した旨の通知を受けた制御部Ｊ１０は、保留音データ保存部Ｊ３から保留音データを取得する（Ｓ９０）。制御部Ｊ１０は、取得した保留音データを送信部Ｊ２により保留機に送信する（Ｓ９１）。
【００６８】
保留機は、保留音サーバーからネットワークを介して保留音データをダウンロード部Ｈ７により受信する（Ｓ９２）。制御部Ｈ１０は、受信した保留音データを被保留機に送信部Ｈ５により送信する（Ｓ９３）。
【００６９】
被保留機は、保留機からの保留音データを受信部Ｈ４により受信する（Ｓ９４）。受信部Ｈ４により保留音データを受信した旨の通知を受けた制御部Ｈ１０は、受信した保留音データを保留音データ保存部Ｈ８に保存する（Ｓ９５）。制御部Ｈ１０は、保留音データ保存部Ｈ８に保存した保留音データを再生してスピーカーＨ２から鳴らす（Ｓ９６）。
【００７０】
次に、本発明の実施の形態５に係るＩＰ電話機における保留機−被保留機−保留音サーバーのシーケンスを図１５に基づいて説明する。図１５は、本発明の実施の形態５に係るＩＰ電話機において、希望する保留音が保留音データ保存部に保存されていない場合の保留機−被保留機−保留音サーバーのシーケンスチャートを示す。図１５においても、図１４（ａ）に示されるＩＰ電話機同士で通話しているものとし、保留するＩＰ電話機側を保留機、保留されるＩＰ電話機側を被保留機として説明する。
【００７１】
保留機と被保留機の接続が確保される（Ｓ９７）。保留機は、保留ボタンが押されたら保留通知を被保留機に送信する（Ｓ９８）。被保留機は、設定情報を送信する（Ｓ９９）。保留機は、保留音サーバーに希望保留音を要求する保留音要求通知を送信する（Ｓ１００）。保留音サーバーは、保留音データを保留機に送信する（Ｓ１０１）。保留機は、保留音データを被保留機に送信する（Ｓ１０２）。
【００７２】
以上、本発明の実施の形態について説明してきたが、本発明は前記実施の形態に限定されるものではなく、例えば、ダウンロード部を設けずに制御部が送信部および受信部を制御して保留音要求通知の送信および保留音データの受信を行うようにしてもよい。
【００７３】
なお、保留音は、映像付きの保留音や、クイズやテレビ番組、映画でも用いることができる。
【産業上の利用可能性】
【００７４】
本発明は、通話相手の希望に添った保留音を通話に流すことで、通話が保留となっても待ち時間を快適なものとすることができるので、保留機能を有するＩＰ電話機に好適である。
【図面の簡単な説明】
【００７５】
【図１】本発明の実施の形態１に係るＩＰ電話機の構成を説明するブロック図
【図２】本発明の実施の形態１に係るＩＰ電話機の動作を示すフローチャート
【図３】本発明の実施の形態１に係るＩＰ電話機における保留機−被保留機のシーケンスチャート
【図４】（ａ）はＩＰ電話機の構成を示すブロック図、（ｂ）は保留音サーバーの構成を示すブロック図
【図５】本発明の実施の形態２に係るＩＰ電話機の動作を示すフローチャート
【図６】本発明の実施の形態２に係るＩＰ電話機における保留機−被保留機−保留音サーバーのシーケンスチャート
【図７】（ａ）はＩＰ電話機の構成を示すブロック図、（ｂ）は保留音サーバーの構成を示すブロック図
【図８】本発明の実施の形態３に係るＩＰ電話機の動作を示すフローチャート
【図９】本発明の実施の形態３に係るＩＰ電話機における保留機−被保留機−保留音サーバーのシーケンスチャート
【図１０】（ａ）はＩＰ電話機の構成を示すブロック図、（ｂ）は保留音サーバーの構成を示すブロック図
【図１１】本発明の実施の形態４に係るＩＰ電話機の動作を示すフローチャート
【図１２】本発明の実施の形態４に係るＩＰ電話機における保留機−被保留機−保留音サーバーのシーケンスチャート
【図１３】（ａ）はＩＰ電話機の構成を示すブロック図、（ｂ）は保留音サーバーの構成を示すブロック図
【図１４】本発明の実施の形態５に係るＩＰ電話機の動作を示すフローチャート
【図１５】本発明の実施の形態５に係るＩＰ電話機において、希望する保留音が保留音データ保存部に保存されていない場合の保留機−被保留機−保留音サーバーのシーケンスチャート
【符号の説明】
【００７６】
Ａ１，Ｂ１，Ｄ１，Ｆ１，Ｈ１    入力部
Ａ２，Ｂ２，Ｄ２，Ｆ２，Ｈ２    スピーカー
Ａ３，Ｂ３，Ｄ３，Ｆ３，Ｈ３    マイク
Ａ４，Ｂ４，Ｄ４，Ｆ４，Ｈ４    受信部
Ａ５，Ｂ５，Ｄ５，Ｆ５，Ｈ５    送信部
Ａ６，Ｂ６，Ｄ６，Ｆ６，Ｈ６    保留音設定保存部
Ａ８，Ｂ８，Ｄ８，Ｆ８，Ｈ８    保留音データ保存部
Ａ１０，Ｂ１０，Ｄ１０，Ｆ１０，Ｈ１０    制御部
Ａ１１，Ｂ１１，Ｄ１１，Ｆ１１，Ｈ１１    ＩＰ電話機
Ｂ７，Ｄ７，Ｆ７，Ｈ７    ダウンロード部
Ｃ１，Ｅ１，Ｇ１，Ｊ１    受信部
Ｃ２，Ｅ２，Ｇ２，Ｊ２    送信部
Ｃ３，Ｅ３，Ｇ３，Ｊ３    保留音データ保存部
Ｃ１０，Ｅ１０，Ｇ１０，Ｊ１０    制御部
Ｃ１１，Ｅ１１，Ｇ１１，Ｊ１１    保留音サーバー
【図１】
2006033683.tif 000003
【図２】
2006033683.tif 000004
【図３】
2006033683.tif 000005
【図４】
2006033683.tif 000006
【図５】
2006033683.tif 000007
【図６】
2006033683.tif 000008
【図７】
2006033683.tif 000009
【図８】
2006033683.tif 000010
【図９】
2006033683.tif 000011
【図１０】
2006033683.tif 000012
【図１１】
2006033683.tif 000013
【図１２】
2006033683.tif 000014
【図１３】
2006033683.tif 000015
【図１４】
2006033683.tif 000016
【図１５】
2006033683.tif 000017